(57)【要約】      （修正有）【課題】木造建物の柱と梁、あるいは梁と梁のような建物部材の接合部には、各部材の経年変化により大きな隙間を生じることがある。隙間が拡大しても、頻繁に調整する必要のない隙間詰め器具の提供。【解決手段】互いに連結された２個の建物部材の隙間に差し込まれるくさび部材１６と、そのくさび部材を進退可能に支持する外箱部材１５、および前記くさび部材と外箱部材との間に介装されたばね１８からなり、前記くさび部材に引き手１７を設けてばねの弾力に抗して後退可能に構成するとともに、くさび部材と外箱部材との間にくさび部材を後退位置に保持する係止部材１７ｂを設けることによって解決される【選択図】        図４
2004300787.tif 000002
【特許請求の範囲】
【請求項１】
互いに連結された２個の建物部材の隙間に差し込まれるくさび部材と、そのくさび部材を進退可能に支持する外箱部材、および前記くさび部材と外箱部材との間に介装されたばねからなり、前記くさび部材に引き手を設けてばねの弾力に抗して後退可能に構成するとともに、くさび部材と外箱部材との間にくさび部材を後退位置に保持する係止部材を設けてなる建物などの隙間詰め器具。
【請求項２】
請求項１において、前記外箱部材には建物部材へ取り付けるための取付板が設けられている建物などの隙間詰め器具。
【発明の詳細な説明】
【０００１】
【産業上の利用分野】
この発明は、建物の柱や梁などの骨組み材の間に、経年変化によって隙間が生じたとき、その隙間を埋めて前記骨組み材にがたつきが生じるのを防止するための隙間詰め器具に関するものである。
【０００２】
【従来の技術】
一般に、柱や梁の間の連結は、金具を使って動かないように固く連結したり、ほぞをほぞ穴へ嵌め込んで連結する場合には、木材製のくさびを打ち込んだりして強固に行っている（例えば、特許文献１参照）。
【０００３】
【特許文献１】
特開２００２−３３９４６２号公報
【０００４】
【発明が解決しようとする課題】
しかしながら、建物が長期にわたって使用されたとき、木材が乾燥したり、台風や地震などの大きな外力を受けて、それらの連結部に隙間を生じるので、家具の建付けがわるくなったり、内部を歩行するとき、きしみ音を生じたりするようになる。
【０００５】
【課題を解決するための手段】
上記したような不具合は、互いに連結された２個の建物部材の隙間に差し込まれるくさび部材と、そのくさび部材を進退可能に支持する外箱部材、および前記くさび部材と外箱部材との間に介装されたばねからなり、前記くさび部材に引き手を設けてばねの弾力に抗して後退可能に構成するとともに、くさび部材と外箱部材との間にくさび部材を後退位置に保持する係止部材を設けることによって解決される。そこでは前記外箱部材には建物部材へ取り付けるための取付板を設けるのが好ましい。
【０００６】
【作用】
外箱部材は互いに連結された２個の建物部材の一方へ取り付けられる。外箱部材に支持されたくさび部材は引き手を操作して係止部材の係止を解くと、背面のばねに押されて前方へ移動し、２個の建物部材の間に生じた隙間へ入り込んで隙間をつめる。くさび部材は常時背面にばねの弾力を受け、隙間が拡大すれば直ちに追随して隙間を埋める。
【０００７】
【実施例】
以下、本願発明の一実施態様を説明する。図１中、１０は本願発明に係る建物などの隙間詰め器具である。隙間詰め器具１０はほぞとほぞ孔との組合せ１１によって結合された木造建物の梁と梁、あるいは梁と柱など、２個の建物部材１２、１２の突合せ部に生じた隙間１３を埋めるべく使用される。
【０００８】
隙間詰め器具１０は図１、図２で示すように、鋼板を折曲げて略長方形の箱形に作られた外箱部材１５と、その外箱部材１５によって支持されたくさび部材１６、およびくさび部材１６を外箱部材１５へ支持するための引き手１７などを有する。１５ａは外箱部材１５と一体に作られた取付板であり、釘あるいはねじによって前記隙間詰め器具１０を２個の建物部材１２、１２の一方に固着するものである。１５ｂは取付板１５ａに設けられた釘孔である。
【０００９】
前記くさび部材１６は前記取付板１５ａと略平行に配された１方の部材１６ａと、これと直交する方向に配された他の部材１個１６ｂとを略直角に連結してＬ形に形成されている。くさび部材１６をなす前記一方の部材１６ａは、外箱部材１５側から見て突出端となる先端の肉厚が薄く、引き手１７に連結される取付板１５ａ側の肉厚が厚い楔形をしている。
【００１０】
くさび部材１６をなす前記他の部材１６ｂには、略中央部に引き手１７の先端部が加締め加工して連結されている。引き手１７は太い棒状の針金からなり、前記外箱部材１５の端壁１５ｃを貫いて一端で前記他の部材１６ｂに連結されるとともに、他端を円形に丸めて指掛け１７ａが作られている。かくて、くさび部材１６は指掛け１７ａに指をかけて引くことにより、くさび部材１６を手前側へ引き戻す、いわゆる、退去動作をさせることができる。
【００１１】
１８は前記くさび部材１６と外箱部材１５との間に介装されたばねである。ばね１８はコイルばねであり、前記他の部材１６ｂと端壁１５ｃとの間に、やや圧縮した状態で取り付けられている。よって、引き手１７が引き戻されない限り、前記他の部材１６ｂの背面を常に押圧している。
【００１２】
ここで、くさび部材１６を退去位置へ保持するための構造を説明する。前記引き手１７には、図６で示すように、長手方向の中程に係止部材の一方をなす突起１７ｂが設けられている。突起１７ｂは引き手１７をなす太い針金の一部を、その表層部材のみプレス機械によって押圧して板状に膨出させたものである。突起１７ｂは前記端壁１５ｃに設けた引き手１７の挿通孔１５ｄに設けたスリット１５ｅよりやや小さく相似形に作られている。
【００１３】
そこで、引き手１７を回動させ図中に実線で示すように、挿通孔１５ｄと突起１７ｂとの位相を合致させれば、突起１７ｂが挿通孔１５ｄを通過することができるようになり、引き手１７は外箱部材１５に支えられて軸方向へ摺動可能となる。また、図中、位相を９０度ずらせば、仮想線で示すように、挿通孔１５ｄと突起１７ｂとが干渉しあって、突起１７ｂの通過が阻止される。かくて、突起１７ｂと挿通孔１５ｄとがくさび部材１６を後退位置に保持する係止部材をなす。
【００１４】
上記実施態様によれば、使用に先立って前記挿通孔１５ｄと突起１７ｂとの位相を合致させた上で、ばね１８の弾力に抗して引き手１７を引き、所定の退去位置まで後退させたところで９０度回動させると、前記挿通孔１５ｄと突起１７ｂとの位相がずれるため、突起１７ｂが前記挿通孔１５ｄにひっかかって前進が阻止され、くさび部材１６は退去位置に保持される。よって、隙間詰め器具１０の外形が小さくなり、可搬性や収納性が向上する。
【００１５】
隙間詰め器具１０によって木造建物の建物部材１２たる２個の梁の隙間１３を埋めるときは、くさび部材１６を退去させたままの状態で前記梁の隙間１３へ向け、取付板１５ａに設けた釘孔１５ｂへねじ釘やボルトなどを挿通させて固定する。
【００１６】
外箱部材１５が固定されたところで、引き手１７を９０度回動させると、前記挿通孔１５ｄと突起１７ｂとの位相が合致し、くさび部材１６は背面のばね１８に押されて前進し、肉薄の先端部を隙間１３へ押し込む。その後、木造建物の経年変化により隙間１３が拡大すると、くさび部材１６が背面のばね１８に押されて、隙間１３の拡大した分だけ前進し隙間１３を埋める。
【００１７】
図７はくさび部材１６の変形例を示す。ここで、くさび部材１６は楔形をした１方の部材１６ａを外箱部材１５の幅より大きくして、隙間１３を作っている建物部材１２に対して広い面積で接触し、材料の損傷が起きないようにしたものである。
【００１８】
【発明の効果】
本願の発明によれば、木造建物の建物部材たる梁や柱の突合せ部に生じる隙間が隙間詰め器具によって自動的に詰められるから、木造建物を長期にわたって使用してもがたつきがでないから、木造建物の揺れや軋み音の発生を防止できる。また、地震のような木造建物に作用する外力に対して強くなり安全性が増すなどの効果がある。
【図面の簡単な説明】
【図１】本願発明の一実施態様であり、隙間詰め具の使用状態を示す使用状態を示す外観図である。
【図２】一部を破断して示す隙間詰め具の外観図である。
【図３】引き手１７の軸線上で切断して示す平面図（図４中のＩＩＩ−ＩＩＩ断面図）である。
【図４】図３中のＩＶ−ＩＶ断面図である。
【図５】図３中のＶ−Ｖ断面図である。
【図６】図４中のＶＩ−ＶＩ断面図である。
【図７】他の実施態様を示す図２相当の外観図である。
断面図である。
【符号の説明】
１０・・・・隙間詰め器具
１１・・・・ほぞとほぞ孔との組合せ
１２・・・・建物部材
１３・・・・隙間
１５・・・・外箱部材
１５ａ・・・・取付板
１５ｂ・・・・釘孔
１５ｃ・・・・端壁
１５ｄ・・・・挿通孔
１５ｅ・・・・スリット
１６・・・・くさび部材
１６ａ・・・・１方の部材
１６ｂ・・・・他の部材
１７・・・・引き手
１７ａ・・・・指掛け
１７ｂ・・・・突起
１８・・・・ばね
【図１】
2004300787.tif 000003
【図２】
2004300787.tif 000004
【図３】
2004300787.tif 000005
【図４】
2004300787.tif 000006
【図５】
2004300787.tif 000007
【図６】
2004300787.tif 000008
【図７】
2004300787.tif 000009